(57)【要約】【課題】カメラからの映像情報を光ディスクまたは／およびハードディスクに記録できる複合型記録再生装置を提供する。【解決手段】カメラモードに設定された場合に、記録予約で設定された記録開始時刻と記録終了時刻と録画モードとを含む予約情報がフラッシュＲＯＭに格納される。次にカメラからの映像情報を例えばＤＶＤに優先的に記録させる方が選択され、記録開始時刻になると、カメラからの映像情報がＤＶＤに記録開始される。記録終了時刻になる前にＤＶＤの容量がフルになると、カメラからの映像情報がＨＤに記録開始される。これにより、カメラからの映像情報がＨＤに記録されていき、記録終了時刻になると、記録が停止される。【選択図】図１
2007306044.tif 000002
【特許請求の範囲】
【請求項１】
光ディスクに対して情報の記録／再生を行う光ディスク装置と、ハードディスクに対して情報の記録／再生を行うハードディスク装置と、装置内に内蔵されたカメラとを備え、前記カメラによって撮像された映像情報を前記光ディスクまたは前記ハードディスクに記録できるように構成された複合型記録再生装置であって、
カメラモードに設定された場合に、記録予約で設定された記録開始時刻と記録終了時刻と録画モードとを含む予約情報をメモリに格納する予約情報格納手段と、
前記カメラからの映像情報を、前記光ディスクに優先的に記録させるか、前記ハードディスクに優先的に記録させるかの設定を行う記録媒体設定手段と、
現在時刻が前記メモリに格納されている予約情報が示す記録開始時刻になって前記記録媒体設定手段により設定された当該記録媒体に対して前記カメラからの映像情報の記録を開始させる記録開始手段と、
現在時刻が前記メモリに格納されている予約情報が示す記録終了時刻になる前に、当該記録媒体の記録領域が全部使用されて容量がフルになったか否かを判定する容量フル判定手段と、
前記容量がフルになったと判定されたときに、記録対象の記録媒体を当該記録媒体から他の記録媒体に変更して前記カメラからの映像信号を再び記録開始させる再記録開始手段と、
現在時刻が前記メモリに格納されている記録終了時刻になった時に、当該記録媒体が容量フルになっていなく記録動作されている場合には当該記録媒体に対する記録を停止させ、また、現在時刻が前記メモリに格納されている記録終了時刻になった時に、前記変更された他の記録媒体が容量フルになっていなく記録動作されている場合には前記他の記録媒体に対する記録を停止させる記録停止手段と、を有するシステムコントローラを備えたことを特徴とする複合型記録再生装置。
【請求項２】
第１の記録媒体に対して情報の記録／再生を行う第１の記録再生装置と、第２の記録媒体に対して情報の記録／再生を行う第２の記録再生装置とを備えた複合型記録再生装置において、
カメラを設け、カメラモードに設定された場合に、記録予約で設定された記録開始時刻と記録終了時刻と録画モードとを含む予約情報をメモリに格納する予約情報格納手段と、
前記カメラからの映像情報を、前記第１の記録媒体に優先的に記録させるか、前記第２の記録媒体に優先的に記録させるかの設定を行う記録媒体設定手段と、
現在時刻が前記メモリに格納されている予約情報が示す記録開始時刻になって前記記録媒体設定手段により設定された当該記録媒体に対して前記カメラからの映像情報の記録を開始させる記録開始手段と、
現在時刻が前記メモリに格納されている予約情報が示す記録終了時刻になる前に、当該記録媒体の記録領域が全部使用されて容量がフルになったか否かを判定する容量フル判定手段と、
前記容量がフルになったと判定されたときに、記録対象の記録媒体を当該記録媒体から他の記録媒体に変更して前記カメラからの映像信号を再び記録開始させる再記録開始手段と、
現在時刻が前記メモリに格納されている記録終了時刻になった時に、記録動作を停止させる記録停止手段と、を有するシステムコントローラを備えたことを特徴とする複合型記録再生装置。
【請求項３】
前記記録停止手段は、現在時刻が前記メモリに格納されている記録終了時刻になった時に、当該記録媒体が容量フルになっていなく記録動作されている場合には当該記録媒体に対する記録を停止させ、また、現在時刻が前記メモリに格納されている記録終了時刻になった時に、前記変更された他の記録媒体が容量フルになっていなく記録動作されている場合には前記他の記録媒体に対する記録を停止させることを特徴とする請求項２に記載の複合型記録再生装置。
【請求項４】
前記カメラは装置内に内蔵されたことを特徴とする請求項２に記載の複合型記録再生装置。
【請求項５】
前記第１の記録媒体は光ディスク、前記第２の記録媒体はハードディスクであり、前記第１の記録再生装置は光ディスク装置、前記第２の記録再生装置はハードディスク装置であることを特徴とする請求項２に記載の複合型記録再生装置。
【発明の詳細な説明】
【技術分野】
【０００１】
本発明は、光ディスクに対して情報の記録／再生を行う光ディスク装置と、ハードディスクに対して情報の記録／再生を行うハードディスク装置と、装置内に内蔵されたカメラとを備え、前記カメラによって撮像された映像情報を前記光ディスクまたは前記ハードディスクに記録できるように構成された複合型記録再生装置に関し、特に、カメラからの映像情報を記録するときの制御に関する。
【背景技術】
【０００２】
従来から、大規模な建造物の監視、工場構内の監視、ダムや送電施設の監視、トンネルの監視などを行うセキュリティシステムにおいては、広域に設置された複数の監視用カメラと、これら監視用カメラと専用回線を介して接続されたセンター監視装置とを備え、センター監視装置で現場の状況を監視し、また、その状況の画像を記録媒体に記録させている。
【０００３】
しかし、このようなセキュリティシステムは、構成が大掛かりで高価になり、一般の家庭には適さない。そこで、一般の家庭でも、留守時のセキュリティを行えるように、ハードディスク装置にカメラを接続して、家庭用のセキュリティを実現しているものや、ハードディスク装置にカメラを内蔵して、家庭用のセキュリティを実現しているものがある。
【０００４】
ところで、特許文献１に示される従来技術は、ハードディスクデジタルレコーダ（ハードディスク装置）を用いて構築した監視システムであり、この監視システムは、ハードディスクデジタルレコーダに、カメラによって撮影された映像を表示させるためのモニター装置と、監視エリア内で異常事態が発生したときに押下すべき異常検出スイッチと、カメラの撮影方向を変化させる際に操作すべきカメラコントロールユニットとを接続して構成されている。
【０００５】
また、前記ハードディスクデジタルレコーダは、リムーバブルＨＤＤ（ハードディスクドライブ）と、カメラなどからの撮影信号を処理する映像信号処理回路と、この映像信号処理回路の動作を制御すると共に前記異常検出スイッチからの検出信号の入力の有無に基づいて監視エリア内で異常事態が発生したか否かを判定するＣＰＵとを備えている。
【０００６】
このように構成される監視システムにおいては、カメラから得られた撮影信号は、映像信号処理回路に供給されてモニター表示に必要な信号処理が施され、これによって得られた映像信号はモニター装置に供給される。この結果、カメラによって撮影された映像がリアルタイムでモニター装置に表示されることになる。
【０００７】
また、映像信号処理回路では、カメラから供給された撮影信号に対してＨＤ（ハードディスク）への記録に必要な信号処理が施され、これによって得られたデジタル映像データは、リムーバルＨＤＤ装置に供給されてＨＤの通常記録領域に記録される。このとき、その通常記録領域が満杯（容量フル）である場合には、最も古い映像データが消去されて、新しい映像データが記録される。このようにして、カメラの撮影動作によって得られる最新の映像データをリムーバブルＨＤＤ装置のＨＤの通常記録領域に記録する動作が繰り返される。
【特許文献１】特開２００５−８６４０４号公報
【発明の開示】
【発明が解決しようとする課題】
【０００８】
しかしながら、この特許文献１の従来技術は、前述したように、ＨＤの通常記録領域が満杯（容量フル）である場合には、最も古い映像データが消去されて、新しい映像データが記録されるので、セキュリティにおいて後々ＨＤに記録されている映像データを必要とする場合が生じたとき、消去されてしまった映像データに必要な映像データが含まれていた場合には、不都合が生じ、セキュリティ上問題がある。また、一般家庭などにおいて留守時のセキュリティを行う場合、留守の時間帯に応じて記録開始時刻と記録終了時刻を設定すれば良いが、この従来技術は、留守の時間帯に応じて記録開始時刻と記録終了時刻を設定するようなことが開示されていないので、一般家庭などにおいて留守時のセキュリティには向かない。また、ＨＤに記録した映像データを光ディスク（ＤＶＤ）に記録させて保存しておきたい場合には、ハードディスク装置に光ディスク装置を接続し、これにより、ハードディスクの情報を光ディスクにダビング記録していくので、このような作業が煩わしくなる。
【０００９】
本発明は、上記のような課題を解決するためになされたもので、カメラからの映像情報を最初光ディスクに記録しているときに、光ディスクが容量フルになった場合にはハードディスクに引き続き記録でき、また、カメラからの映像情報を最初ハードディスクに記録しているときに、ハードディスクが容量フルになった場合には光ディスクに引き続き記録できるようにすると共に、一般家庭などにおいて留守の時のみ、カメラからの映像情報を記録できるように記録の時間帯を設定できるようにし、また、ずっと保存しておきたいカメラからの映像情報は、最初から光ディスクに記録できるように設定することができるようにする複合型記録再生装置を提供する。
【課題を解決するための手段】
【００１０】
上記目的を達成するために、請求項１の発明は、光ディスクに対して情報の記録／再生を行う光ディスク装置と、ハードディスクに対して情報の記録／再生を行うハードディスク装置と、装置内に内蔵されたカメラとを備え、前記カメラによって撮像された映像情報を前記光ディスクまたは前記ハードディスクに記録できるように構成された複合型記録再生装置であって、カメラモードに設定された場合に、記録予約で設定された記録開始時刻と記録終了時刻と録画モードとを含む予約情報をメモリに格納する予約情報格納手段と、前記カメラからの映像情報を、前記光ディスクに優先的に記録させるか、前記ハードディスクに優先的に記録させるかの設定を行う記録媒体設定手段と、現在時刻が前記メモリに格納されている予約情報が示す記録開始時刻になって前記記録媒体設定手段により設定された当該記録媒体に対して前記カメラからの映像情報の記録を開始させる記録開始手段と、現在時刻が前記メモリに格納されている予約情報が示す記録終了時刻になる前に、当該記録媒体の記録領域が全部使用されて容量がフルになったか否かを判定する容量フル判定手段と、前記容量がフルになったと判定されたときに、記録対象の記録媒体を当該記録媒体から他の記録媒体に変更して前記カメラからの映像信号を再び記録開始させる再記録開始手段と、現在時刻が前記メモリに格納されている記録終了時刻になった時に、当該記録媒体が容量フルになっていなく記録動作されている場合には当該記録媒体に対する記録を停止させ、また、現在時刻が前記メモリに格納されている記録終了時刻になった時に、前記変更された他の記録媒体が容量フルになっていなく記録動作されている場合には前記他の記録媒体に対する記録を停止させる記録停止手段と、を有するシステムコントローラを備えたことを特徴とする複合型記録再生装置を提供する。
【００１１】
この構成において、カメラモードに設定された場合に、予約情報格納手段は、記録予約で設定された記録開始時刻と記録終了時刻と録画モードとを含む予約情報をメモリに格納する。次に、カメラからの映像情報を、光ディスクに優先的に記録させるか、ハードディスクに優先的に記録させるかのうち、例えば、光ディスクに優先的に記録させる方が選択されると、記録媒体設定手段はカメラからの映像情報を光ディスクに優先的に記録できるように設定する。
【００１２】
そして、現在時刻が記録開始時刻になると、記録開始手段は、光ディスク装置を記録動作させ、光ディスクに対してカメラからの映像情報の記録を開始させる。このようにして光ディスクへの記録が開始して記録中に、容量フル判定手段は、現在時刻が記録終了時刻になる前に、光ディスクの記録領域が全部使用されて容量がフルになったか否かを判定する。
【００１３】
現在時刻が記録終了時刻に達する前に、光ディスクの容量がフルになったと判定されたときに、再記録開始手段は、記録対象の記録媒体を光ディスクからハードディスクに変更して、カメラからの映像情報を再び記録開始させる。これにより、カメラからの映像情報がハードディスクに記録されていき、現在時刻が記録終了時刻になった時に、記録停止手段は、ハードディスク装置の記録動作を停止させ、ハードディスクへの記録を停止させる。
【００１４】
次に、ハードディスクに優先的に記録させる方が選択され決定されると、記録媒体設定手段は、ハードディスクに優先的に記録させる方が設定されたと判定し、カメラからの映像情報をハードディスクに優先的に記録できるように設定する。そして、現在時刻が記録開始時刻になると、記録開始手段は、ハードディスク装置を記録動作させ、ハードディスクに対してカメラからの映像情報の記録を開始させる。このようにしてハードディスクへの記録が開始して記録中に、容量フル判定手段は、現在時刻が記録終了時刻になる前に、ハードディスクの記録領域が全部使用されて容量がフルになったか否かを判定する。
【００１５】
現在時刻が記録終了時刻に達する前に、ハードディスクの容量がフルになったと判定されたときに、再記録開始手段は、記録対象の記録媒体をハードディスクから光ディスクに変更して、カメラからの映像情報を再び記録開始させる。これにより、カメラからの映像情報が光ディスクに記録されていき、現在時刻が記録終了時刻になった時に、記録停止手段は、光ディスク装置の記録動作を停止させ、光ディスクへの記録を停止させる。
【００１６】
この構成によれば、カメラからの映像情報を最初光ディスクに記録しているときに、光ディスクが容量フルになった場合にはハードディスクに引き続き記録でき、また、カメラからの映像情報を最初ハードディスクに記録しているときに、ハードディスクが容量フルになった場合には光ディスクに引き続き記録できるようになり、これにより、セキュリティに関する映像情報を長時間記録することが可能になる。
【００１７】
また、記録予約での記録開始時刻と記録終了時刻との設定により、一般家庭などにおいて留守の時のみ、カメラからの映像情報を記録できるようになり、無駄に記録媒体の記録領域を使用することがなくなる。また、ずっと保存しておきたいカメラからの映像情報は、最初から光ディスクに記録できるように設定することができるので、ハードディスクから光ディスクへのダビング記録を行う必要がなくなり、ユーザにとってダビング記録に関する操作を省くことができる。また、カメラは装置内に内蔵されているので、留守中に、もし誰かが部屋に侵入した場合、その侵入者にカメラの存在を気付かれることがなく、監視映像を記録できると言う効果も得られる。
【００１８】
請求項２の発明は、第１の記録媒体に対して情報の記録／再生を行う第１の記録再生装置と、第２の記録媒体に対して情報の記録／再生を行う第２の記録再生装置とを備えた複合型記録再生装置において、カメラを設け、カメラモードに設定された場合に、記録予約で設定された記録開始時刻と記録終了時刻と録画モードとを含む予約情報をメモリに格納する予約情報格納手段と、前記カメラからの映像情報を、前記第１の記録媒体に優先的に記録させるか、前記第２の記録媒体に優先的に記録させるかの設定を行う記録媒体設定手段と、現在時刻が前記メモリに格納されている予約情報が示す記録開始時刻になって前記記録媒体設定手段により設定された当該記録媒体に対して前記カメラからの映像情報の記録を開始させる記録開始手段と、現在時刻が前記メモリに格納されている予約情報が示す記録終了時刻になる前に、当該記録媒体の記録領域が全部使用されて容量がフルになったか否かを判定する容量フル判定手段と、前記容量がフルになったと判定されたときに、記録対象の記録媒体を当該記録媒体から他の記録媒体に変更して前記カメラからの映像信号を再び記録開始させる再記録開始手段と、現在時刻が前記メモリに格納されている記録終了時刻になった時に、記録動作を停止させる記録停止手段と、を有するシステムコントローラを備えたことを特徴とする複合型記録再生装置を提供する。
【００１９】
この構成において、カメラモードに設定された場合に、予約情報格納手段は、記録予約で設定された記録開始時刻と記録終了時刻と録画モードとを含む予約情報をメモリに格納する。次に、カメラからの映像情報を、第１の記録媒体に優先的に記録させるか、第２の記録媒体に優先的に記録させるかのうち、例えば、第１の記録媒体に優先的に記録させる方が選択されると、記録媒体設定手段はカメラからの映像情報を第１の記録媒体に優先的に記録できるように設定する。
【００２０】
そして、現在時刻が記録開始時刻になると、記録開始手段は、第１の記録再生装置を記録動作させ、第１の記録媒体に対してカメラからの映像情報の記録を開始させる。このようにして第１の記録媒体への記録が開始して記録中に、容量フル判定手段は、現在時刻が記録終了時刻になる前に、第１の記録媒体の記録領域が全部使用されて容量がフルになったか否かを判定する。
【００２１】
現在時刻が記録終了時刻に達する前に、第１の記録媒体の容量がフルになったと判定されたときに、再記録開始手段は、記録対象の記録媒体を第１の記録媒体から第２の記録媒体に変更して、カメラからの映像情報を再び記録開始させる。これにより、カメラからの映像情報が第２の記録媒体に記録されていき、現在時刻が記録終了時刻になった時に、記録停止手段は、第２の記録再生装置の記録動作を停止させ、第２の記録媒体への記録を停止させる。
【００２２】
次に、第２の記録媒体に優先的に記録させる方が選択され決定されると、記録媒体設定手段は、第２の記録媒体に優先的に記録させる方が設定されたと判定し、カメラからの映像情報を第２の記録媒体に優先的に記録できるように設定する。そして、現在時刻が記録開始時刻になると、記録開始手段は、第２の記録再生装置を記録動作させ、第２の記録媒体に対してカメラからの映像情報の記録を開始させる。このようにして第２の記録媒体への記録が開始して記録中に、容量フル判定手段は、現在時刻が記録終了時刻になる前に、第２の記録媒体の記録領域が全部使用されて容量がフルになったか否かを判定する。
【００２３】
現在時刻が記録終了時刻に達する前に、第２の記録媒体の容量がフルになったと判定されたときに、再記録開始手段は、記録対象の記録媒体を第２の記録媒体から第１の記録媒体に変更して、カメラからの映像情報を再び記録開始させる。これにより、カメラからの映像情報が第１の記録媒体に記録されていき、現在時刻が記録終了時刻になった時に、記録停止手段は、第１の記録再生装置の記録動作を停止させ、第１の記録媒体への記録を停止させる。
【００２４】
この構成によれば、カメラからの映像情報を最初第１の記録媒体に記録しているときに、第１の記録媒体が容量フルになった場合には第２の記録媒体に引き続き記録でき、また、カメラからの映像情報を最初第２の記録媒体に記録しているときに、第２の記録媒体が容量フルになった場合には第１の記録媒体に引き続き記録できるようになり、これにより、セキュリティに関する映像情報を長時間記録することが可能になる。
【００２５】
また、記録予約での記録開始時刻と記録終了時刻との設定により、一般家庭などにおいて留守の時のみ、カメラからの映像情報を記録できるようになり、無駄に記録媒体の記録領域を使用することがなくなる。また、ずっと保存しておきたいカメラからの映像情報は、最初から光ディスク（第１の記録媒体が光ディスクであるとすれば光ディスク）に記録できるように設定することができるので、ハードディスク（第２の記録媒体）から光ディスク（第１の記録媒体）へのダビング記録を行う必要がなくなり、ユーザにとってダビング記録に関する操作を省くことができる。
【００２６】
請求項３の発明では、請求項２の発明において、前記記録停止手段は、現在時刻が前記メモリに格納されている記録終了時刻になった時に、当該記録媒体が容量フルになっていなく記録動作されている場合には当該記録媒体に対する記録を停止させ、また、現在時刻が前記メモリに格納されている記録終了時刻になった時に、前記変更された他の記録媒体が容量フルになっていなく記録動作されている場合には前記他の記録媒体に対する記録を停止させるようにしているので、記録終了時刻になると、当該記録媒体または他の記録媒体に対する記録動作を停止させることができ、これにより、記録媒体の記録領域を無駄に使用するようなことがなくなる。
【００２７】
請求項４の発明では、請求項２の発明において、前記カメラは装置内に内蔵されたので、留守中に、もし誰かが部屋に侵入した場合、その侵入者にカメラの存在を気付かれることがなく、監視映像を記録できる。
【００２８】
請求項５の発明では、請求項２の発明において、前記第１の記録媒体は光ディスク、前記第２の記録媒体はハードディスクであり、前記第１の記録再生装置は光ディスク装置、前記第２の記録再生装置はハードディスク装置であるので、カメラからの映像情報を最初光ディスクに記録しているときに、光ディスクが容量フルになった場合にはハードディスクに引き続き記録でき、また、カメラからの映像情報を最初ハードディスクに記録しているときに、ハードディスクが容量フルになった場合には光ディスクに引き続き記録できるようにようになり、これにより、セキュリティに関する映像情報を長時間記録することが可能になる。また、何日か留守するときに監視映像を記録したい場合は、例えば、ハードディスクに優先的に監視情報を記録させることができ、また、１日のうち何時間が留守して監視映像を記録して、ずっと保存しておきたい場合は、例えば、光ディスクに優先的に監視情報を記録させることができる。
【発明の効果】
【００２９】
以上のように本発明によれば、光ディスクに対して情報の記録／再生を行う光ディスク装置と、ハードディスクに対して情報の記録／再生を行うハードディスク装置と、装置内に内蔵されたカメラとを備え、前記カメラによって撮像された映像情報を前記光ディスクまたは前記ハードディスクに記録できるように構成された複合型記録再生装置であって、カメラモードに設定された場合に、記録予約で設定された記録開始時刻と記録終了時刻と録画モードとを含む予約情報をメモリに格納する予約情報格納手段と、前記カメラからの映像情報を、前記光ディスクに優先的に記録させるか、前記ハードディスクに優先的に記録させるかの設定を行う記録媒体設定手段と、現在時刻が前記メモリに格納されている予約情報が示す記録開始時刻になって前記記録媒体設定手段により設定された当該記録媒体に対して前記カメラからの映像情報の記録を開始させる記録開始手段と、現在時刻が前記メモリに格納されている予約情報が示す記録終了時刻になる前に、当該記録媒体の記録領域が全部使用されて容量がフルになったか否かを判定する容量フル判定手段と、前記容量がフルになったと判定されたときに、記録対象の記録媒体を当該記録媒体から他の記録媒体に変更して前記カメラからの映像信号を再び記録開始させる再記録開始手段と、現在時刻が前記メモリに格納されている記録終了時刻になった時に、当該記録媒体が容量フルになっていなく記録動作されている場合には当該記録媒体に対する記録を停止させ、また、現在時刻が前記メモリに格納されている記録終了時刻になった時に、前記変更された他の記録媒体が容量フルになっていなく記録動作されている場合には前記他の記録媒体に対する記録を停止させる記録停止手段とを有するシステムコントローラを備えたので、カメラからの映像情報を最初光ディスクに記録しているときに、光ディスクが容量フルになった場合にはハードディスクに引き続き記録でき、また、カメラからの映像情報を最初ハードディスクに記録しているときに、ハードディスクが容量フルになった場合には光ディスクに引き続き記録できるようにようになり、これにより、セキュリティに関する映像情報を長時間記録することが可能になる。
【００３０】
また、記録予約での記録開始時刻と記録終了時刻との設定により、一般家庭などにおいて留守の時のみ、カメラからの映像情報を記録できるようになり、無駄に記録媒体の記録領域を使用することがなくなる。また、ずっと保存しておきたいカメラからの映像情報は、最初から光ディスクに記録できるように設定することができるので、ハードディスクから光ディスクへのダビング記録を行う必要がなくなり、ユーザにとってダビング記録に関する操作を省くことができる。また、カメラは装置内に内蔵されているので、留守中に、もし誰かが部屋に侵入した場合、その侵入者にカメラの存在を気付かれることがなく、監視映像を記録できると言う効果も得られる。
【００３１】
また、本発明によれば、第１の記録媒体に対して情報の記録／再生を行う第１の記録再生装置と、第２の記録媒体に対して情報の記録／再生を行う第２の記録再生装置とを備えた複合型記録再生装置において、カメラを設け、カメラモードに設定された場合に、記録予約で設定された記録開始時刻と記録終了時刻と録画モードとを含む予約情報をメモリに格納する予約情報格納手段と、前記カメラからの映像情報を、前記第１の記録媒体に優先的に記録させるか、前記第２の記録媒体に優先的に記録させるかの設定を行う記録媒体設定手段と、現在時刻が前記メモリに格納されている予約情報が示す記録開始時刻になって前記記録媒体設定手段により設定された当該記録媒体に対して前記カメラからの映像情報の記録を開始させる記録開始手段と、現在時刻が前記メモリに格納されている予約情報が示す記録終了時刻になる前に、当該記録媒体の記録領域が全部使用されて容量がフルになったか否かを判定する容量フル判定手段と、前記容量がフルになったと判定されたときに、記録対象の記録媒体を当該記録媒体から他の記録媒体に変更して前記カメラからの映像信号を再び記録開始させる再記録開始手段と、現在時刻が前記メモリに格納されている記録終了時刻になった時に、記録動作を停止させる記録停止手段と、を有するシステムコントローラを備えたので、カメラからの映像情報を最初第１の記録媒体に記録しているときに、第１の記録媒体が容量フルになった場合には第２の記録媒体に引き続き記録でき、また、カメラからの映像情報を最初第２の記録媒体に記録しているときに、第２の記録媒体が容量フルになった場合には第１の記録媒体に引き続き記録できるようにようになり、これにより、セキュリティに関する映像情報を長時間記録することが可能になる。
【００３２】
また、記録予約での記録開始時刻と記録終了時刻との設定により、一般家庭などにおいて留守の時のみ、カメラからの映像情報を記録できるようになり、無駄に記録媒体の記録領域を使用することがなくなる。また、ずっと保存しておきたいカメラからの映像情報は、最初から光ディスク（第１の記録媒体が光ディスクであるとすれば光ディスク）に記録できるように設定することができるので、ハードディスク（第２の記録媒体）から光ディスク（第１の記録媒体）へのダビング記録を行う必要がなくなり、ユーザにとってダビング記録に関する操作を省くことができる。
【発明を実施するための最良の形態】
【００３３】
以下、添付図面を参照しつつ、本発明の実施の形態について説明する。図１は本発明の一実施形態に係る複合型記録再生装置の構成を示すブロック図である。
【００３４】
この複合型記録再生装置Ａは、光ディスクとしてのＤＶＤ１に対して情報の記録／再生を行う光ディスク装置２と、ＨＤ（ハードディスク）３に対して情報の記録／再生を行うハードディスク装置４と、図示しないアンテナからのテレビ放送信号を受信し、所望のチャンネルのテレビ放送信号を選択して映像音声信号として出力するチューナ５と、光ディスク装置２またはハードディスク装置４またはチューナ５またはカメラ１２から出力された映像音声信号を復号するデコーダ６と、装置全体を制御するシステムコントローラ１０と、チューナ５が受信可能な放送チャンネルを記憶すると共にシステムコントローラ１０の動作に必要なプログラムなどを記憶するフラッシュＲＯＭ７と、デコーダ６で復号された映像信号をモニター装置（テレビ受信機など）Ｂで表示可能な映像信号に変換する映像出力部８と、デコーダ６で復号された音声信号をモニター装置Ｂで出力可能な音声信号に変換する音声出力部９と、リモコン１３から送信された赤外光の各種の指令信号を受信し、受信した赤外光の指令信号を電気信号の指令信号に変換し、この指令信号をシステムコントローラ１０に入力するリモコン受信部１１と、装置内に内蔵され留守時の監視などに用いられる前記カメラ１２とを備えている。
【００３５】
システムコントローラ１０は、本実施形態の特徴として、カメラモードに設定された場合に、記録予約で設定された記録開始時刻と記録終了時刻と録画モードとを含む予約情報をフラッシュＲＯＭ７に格納する予約情報格納手段１０１と、カメラ１２からの映像情報を、ＤＶＤ１に優先的に記録させるか、ＨＤ３に優先的に記録させるかの設定を行う記録媒体設定手段１０２と、現在時刻がフラッシュＲＯＭ７に格納されている予約情報が示す記録開始時刻になって記録媒体設定手段１０２により設定された当該記録媒体に対してカメラ１２からの映像情報の記録を開始させる記録開始手段１０３と、現在時刻がフラッシュＲＯＭ７に格納されている予約情報が示す記録終了時刻になる前に、当該記録媒体の記録領域が全部使用されて容量がフルになったか否かを判定する容量フル判定手段１０４と、前記容量がフルになったと判定されたときに、記録対象の記録媒体を当該記録媒体から他の記録媒体に変更してカメラ１２からの映像信号を再び記録開始させる再記録開始手段１０５と、現在時刻がフラッシュＲＯＭ７に格納されている記録終了時刻になった時に、当該記録媒体が容量フルになっていなく記録動作されている場合には当該記録媒体に対する記録を停止させ、また、現在時刻がフラッシュＲＯＭ７に格納されている記録終了時刻になった時に、前記変更された他の記録媒体が容量フルになっていなく記録動作されている場合には前記他の記録媒体に対する記録を停止させる記録停止手段１０６とを有する。
【００３６】
図２は本実施形態においてカメラモードに設定された場合の記録の制御を説明するためのフローチャートである。図３は本実施形態においてモード選択画面の一例を示す図である。図４は本実施形態においてカメラ記録予約画面の一例を示す図である。図１〜図４を参照してカメラモードに設定された場合の記録の制御について説明する。
【００３７】
先ず、ユーザは、リモコン１３を操作してモニター装置Ｂに例えば図３に示すようなモード選択画面３０を表示させ、このモード選択画面３０で「カメラを選択しますか」の「はい」を選択して決定すると、システムコントローラ１０は、設定されたモードがカメラモードであることを検知する（ステップＳ１）。次に、ユーザは、リモコン１３を操作して、モニター装置Ｂにカメラ記録予約画面４０を表示させ、カメラ１２からの映像情報を記録する記録開始時刻と、記録を終了させる記録終了時刻と、記録の画質を設定する録画モードとを設定し、記録開始時刻と記録終了時刻と記録モードなどを示す予約情報をフラッシュＲＯＭ（メモリ）７に格納する（ステップＳ２）。なお、記録する日が本日ではない場合は、記録予約の予定日も設定して、予約情報に含めてフラッシュＲＯＭ７に格納しておく。
【００３８】
例えば、図４に示すカメラ記録予約画面４０を用いて、記録予約の予定日を２３日、記録の開始時刻をＡＭ１０：００、記録の終了時刻をＰＭ５：００、録画モードをＬＰ（低画質の録画モード）に設定する。これに応答して、システムコントローラ１０の記録時間格納手段１０１は、予定日（２３日）と記録開始時刻（ＡＭ１０：００）と記録終了時刻（ＰＭ５：００）と録画モード（ＬＰ）とを予約情報としてフラッシュＲＯＭ７に格納する（ステップＳ２）。
【００３９】
なお、前記録画モードの設定は、ＤＶＤ１およびＨＤ３の現在の空き容量を検知し、この空き容量に対して各録画モードに対応する記録可能時間を見て、記録時間が記録可能時間内に収まるように録画モードが設定される。即ち、高画質の録画モードで記録すると、記録領域が多く必要になり、一方、低画質の録画モードで記録すると、記録領域が少なくて済むので、現在のＤＶＤ１およびＨＤ３の空き容量を検知すれば、各録画モードに対する記録可能時間が分かり、記録開始時刻から記録終了時刻までの記録時間が記録可能時間内にあれば、記録開始時刻から記録終了時刻までの映像情報を空きの記録領域に記録できるので、適切な録画モードを設定すれば良いことになる。
【００４０】
次に、ユーザはリモコン１３を操作して、カメラ１２からの映像情報を、ＤＶＤ１に優先的に記録させるか、ＨＤ３に優先的に記録させるかのうち、ＤＶＤ１に優先的に記録させる方を選択して決定すると、システムコントローラ１０の記録媒体設定手段１０２は、ＤＶＤ１に優先的に記録させる方が設定されたと判定し（ステップＳ３）、カメラ１２からの映像情報をＤＶＤ１に優先的に記録できるようにＤＶＤモードに設定する（ステップＳ４）。
【００４１】
そして、図示しない時計手段による現在時刻が記録開始時刻になると（ステップＳ６）、システムコントローラ１０の記録開始手段１０３は、光ディスク装置２を記録動作させ、ＤＶＤ１に対してカメラ１２からの映像情報の記録を開始させる（ステップＳ７）。このようにしてＤＶＤ１への記録が開始して記録中に、システムコントローラ１０の容量フル判定手段１０４は、現在時刻がフラッシュＲＯＭ７に格納されている記録終了時刻になる前に、ＤＶＤ１の記録領域が全部使用されて容量がフルになったか否かをＤＶＤ１のディスク情報により判定する（ステップＳ８）。
【００４２】
現在時刻が記録終了時刻に達する前に、ＤＶＤ１の容量がフルになったと判定されたときに、システムコントローラ１０の再記録開始手段１０５は、記録対象の記録媒体をＤＶＤ１からＨＤ３に変更して（ステップＳ１０）、カメラ１２からの映像情報を再び記録開始させる（ステップＳ７）。即ち、再記録開始手段１０５は、光ディスク装置２の記録動作を停止させ、これに代えてハードディスク装置４を記録動作させ、カメラ１２からの映像情報をＨＤ３に記録させる。
【００４３】
これにより、カメラ１２からの映像情報がＨＤ３に記録されていき、現在時刻が記録終了時刻になった時に（ステップＳ９）、システムコントローラ１０の記録停止手段１０６は、ハードディスク装置４の記録動作を停止させ、ＨＤ３への記録を停止させる（ステップＳ１１）。
【００４４】
次に、ユーザはリモコン１３を操作して、カメラ１２からの映像情報を、ＤＶＤ１に優先的に記録させるか、ＨＤ３に優先的に記録させるかのうち、ＨＤ３に優先的に記録させる方を選択して決定すると、システムコントローラ１０の記録媒体設定手段１０２は、ＨＤ３に優先的に記録させる方が設定されたと判定し（ステップＳ５）、カメラ１２からの映像情報をＨＤ３に優先的に記録できるようにＨＤモードに設定する（ステップＳ１２）。
【００４５】
そして、図示しない時計手段による現在時刻が記録開始時刻になると（ステップＳ６）、システムコントローラ１０の記録開始手段１０３は、ハードディスク装置４を記録動作させ、ＨＤ３に対してカメラ１２からの映像情報の記録を開始させる（ステップＳ７）。このようにしてＨＤ３への記録が開始して記録中に、システムコントローラ１０の容量フル判定手段１０４は、現在時刻がフラッシュＲＯＭ７に格納されている記録終了時刻になる前に、ＨＤ３の記録領域が全部使用されて容量がフルになったか否かをＨＤ３のディスク情報により判定する（ステップＳ８）。
【００４６】
現在時刻が記録終了時刻に達する前に、ＨＤ３の容量がフルになったと判定されたときに、システムコントローラ１０の再記録開始手段１０５は、記録対象の記録媒体をＨＤ３からＤＶＤ１に変更して（ステップＳ１０）、カメラ１２からの映像情報を再び記録開始させる（ステップＳ７）。即ち、再記録開始手段１０５は、ハードディスク装置４の記録動作を停止させ、これに代えて光ディスク装置２を記録動作させ、カメラ１２からの映像情報をＤＶＤ１に記録させる。
【００４７】
これにより、カメラ１２からの映像情報がＤＶＤ１に記録されていき、現在時刻が記録終了時刻になった時に（ステップＳ９）、システムコントローラ１０の記録停止手段１０６は、光ディスク装置２の記録動作を停止させ、ＤＶＤ１への記録を停止させる（ステップＳ１１）。
【００４８】
以上説明したように本実施形態によれば、カメラ１２からの映像情報を最初ＤＶＤ１に記録しているときに、ＤＶＤ１が容量フルになった場合にはＨＤ３に引き続き記録でき、また、カメラ１２からの映像情報を最初ＨＤ３に記録しているときに、ＨＤ３が容量フルになった場合にはＤＶＤ１に引き続き記録できるようになり、これにより、セキュリティに関する映像情報を長時間記録することが可能になる。
【００４９】
また、記録予約での記録開始時刻と記録終了時刻との設定により、一般家庭などにおいて留守の時のみ、カメラ１２からの映像情報を記録できるようになり、無駄に記録媒体の記録領域を使用することがなくなる。また、ずっと保存しておきたいカメラからの映像情報は、最初からＤＶＤ１に記録できるように設定することができるので、ＨＤ３からＤＶＤ１へのダビング記録を行う必要がなくなり、ユーザにとってダビング記録に関する操作を省くことができる。また、カメラ１２は装置内に内蔵されているので、留守中に、もし誰かが部屋に侵入した場合、その侵入者にカメラ１２の存在を気付かれることがなく、監視映像を記録できると言う効果も得られる。
【００５０】
なお、カメラ１２を複合型記録再生装置Ａの外に設け，ケーブルを介して複合型記録再生装置Ａのインターフェイスに接続しても良いが、この場合、侵入者にカメラ１２の存在を気付かれる可能性があるので、セキュリティ上あまり好ましくない。また、前記実施形態では、光ディスク装置とハードディスク装置との複合型記録再生装置について説明したが、これに限らず、光ディスク装置と磁気テープ記録再生装置（ビデオカセットレコーダ）との複合型記録再生装置、またはハードディスク装置と磁気テープ記録再生装置との複合型記録再生装置、あるいは光ディスク装置とハードディスク装置と磁気テープ記録再生装置との複合型記録再生装置であっても、同様にカメラを設けた場合、同様な記録制御により同様な効果が得られる。
【産業上の利用可能性】
【００５１】
本発明は、カメラからの映像情報をＤＶＤまたは／およびハードディスクに記録できるＤＶＤレコーダとハードディスクレコーダとの複合機などに利用可能である。
【図面の簡単な説明】
【００５２】
【図１】本発明の一実施形態に係る複合型記録再生装置の構成を示すブロック図である。
【図２】実施形態においてカメラモードに設定された場合の記録の制御を説明するためのフローチャートである。
【図３】前記実施形態においてモード選択画面の一例を示す図である。
【図４】前記実施形態においてカメラ記録予約画面の一例を示す図である。
【符号の説明】
【００５３】
Ａ    複合型記録再生装置
Ｃ    カメラ
１    ＤＶＤ（光ディスク）
２    光ディスク装置
３    ＨＤ（ハードディスク）
４    ハードディスク装置
７    フラッシュＲＯＭ（メモリ）
１０    システムコントローラ
１２    カメラ
１０１    予約情報格納手段
１０２    記録媒体設定手段
１０３    記録開始手段
１０４    容量フル判定手段
１０５    再記録開始手段
１０６    記録停止手段
【図１】
2007306044.tif 000003
【図２】
2007306044.tif 000004
【図３】
2007306044.tif 000005
【図４】
2007306044.tif 000006